(57)【要約】  本開示は電子装置及び無線通信方法に関する。一実施例による無線通信に用いられる電子装置は、ユーザー装置が第１の伝送時間間隔よりも小さい短伝送時間間隔で近距離サービス通信を行う場合に、それぞれが短伝送時間間隔を有する少なくとも２つの互いに独立した伝送ブロックが同じサブフレームで伝送されるように制御し、当該サブフレームの長さが第１の伝送時間間隔と同じであるように配置される処理回路を含む。
2020527876.tif 000002
【特許請求の範囲】
【請求項１】
無線通信に用いられる電子装置であって、
ユーザー装置が第１の伝送時間間隔よりも小さい短伝送時間間隔で近距離サービス通信を行う場合に、それぞれが短伝送時間間隔を有する少なくとも２つの互いに独立した伝送ブロックが同じサブフレームで伝送されるように制御し、前記サブフレームの長さが前記第１の伝送時間間隔と同じである、
ように配置される処理回路を含む電子装置。
【請求項２】
前記サブフレームの構造は、前記第１の伝送時間間隔で行われる近距離サービス通信のサブフレームの構造と同じである、
請求項１に記載の電子装置。
【請求項３】
前記第１の伝送時間間隔は、１４個の直交周波数分割多重シンボルを含み、前記短伝送時間間隔は、最大７個の直交周波数分割多重シンボルを含む、
請求項１に記載の電子装置。
【請求項４】
前記処理回路は、
伝送される情報の優先度に基づいて、同じサブフレームで伝送される伝送ブロックを確定する、
ように配置される請求項１に記載の電子装置。
【請求項５】
前記少なくとも２つの互いに独立した伝送ブロックは、異なるユーザー装置からのものであり、前記処理回路は、
組み合わせられるユーザー装置の伝送ブロックが同じサブフレームで伝送されるように、短伝送間隔を使用するユーザー装置を組み合わせる、
ように配置される請求項１に記載の電子装置。
【請求項６】
前記処理回路は、
伝送される情報の優先度と、
伝送される情報のデータ量と、
ユーザー装置の位置と、
ユーザー装置の運動速度と、
のうち１つ又は複数に基づいて確定された類似度に従って前記組み合わせを行う、
ように配置される請求項５に記載の電子装置。
【請求項７】
前記処理回路はさらに、所定の条件を満たした場合に、前記制御を行うように配置され、
前記所定の条件は、
同じリソースプールを共有する複数のユーザー装置がそれぞれ前記第１の伝送時間間隔と短伝送時間間隔で近距離サービス通信を行うことを含む、
請求項１に記載の電子装置。
【請求項８】
前記所定の条件はさらに、
前記リソースプールのチャネルビジー率が所定のレベルよりも高く、かつ、
前記第１の伝送時間間隔を使用するユーザー装置の短伝送時間間隔を使用するユーザー装置に対する数量比が所定の範囲にあること、
を含む請求項７に記載の電子装置。
【請求項９】
前記所定の条件はさらに、
前記第１の伝送時間間隔を使用するユーザー装置の伝送失敗の頻度が所定のレベルに達すること、又は、
前記第１の伝送時間間隔を使用するユーザー装置が復号化できないスケジューリング割り当てシグナリングを受信した割合が所定のレベルに達すること、
を含む請求項７に記載の電子装置。
【請求項１０】
前記処理回路はさらに、
同じサブフレームで伝送される伝送ブロックに従って、前記サブフレームのスケジューリング割り当てシグナリングに使用される伝送モード及び／又はコンテンツを確定する、
ように配置される請求項１に記載の電子装置。
【請求項１１】
前記スケジューリング割り当てシグナリングの伝送モードは、
前記第１の伝送時間間隔と同じ長さを持つ１つのスケジューリング割り当てシグナリングを伝送すること、
前記第１の伝送時間間隔と同じ長さを持つ１つのスケジューリング割り当てシグナリングと、前記サブフレームにおける伝送ブロックの短伝送時間間隔に対応する長さをぞれぞれ持つｎ個のスケジューリング割り当てシグナリングを伝送すること、又は、
前記第１の伝送時間間隔と同じ長さを持つｎ個のスケジューリング割り当てシグナリングを伝送すること、を含み、
ｎは、前記サブフレームにおける伝送ブロックの数である、
請求項１０に記載の電子装置。
【請求項１２】
前記処理回路はさらに、
前記スケジューリング割り当てシグナリングの伝送モードを前記ユーザー装置に指示するための指示情報を生成する
ように配置される請求項１０に記載の電子装置。
【請求項１３】
前記指示情報は、無線リソース制御シグナリング又は非アクセス層シグナリングに含まれる請求項１２に記載の電子装置。
【請求項１４】
前記スケジューリング割り当てシグナリングはＳＣＩ  ｆｏｒｍａｔによって実現され、
前記処理回路はさらに、前記ＳＣＩ  ｆｏｒｍａｔの予約ビットに伝送リソースに関する情報を追加するように配置される、
請求項１０に記載の電子装置。
【請求項１５】
前記処理回路は、
前記スケジューリング割り当てシグナリングの予約ビットに伝送リソースに関する情報を追加し、
システム情報ブロックにおいて、追加された情報の定義を前記ユーザー装置に通知するように制御する、
ように配置される請求項１４に記載の電子装置。
【請求項１６】
前記近距離サービス通信は、マシン型通信ＭＴＣ、デバイスツーデバイスのＤ２Ｄ通信、車両と他の装置とのＶ２Ｘ通信、物のインターネットＩＯＴ通信を含む請求項１から１５のいずれか１項に記載の電子装置。
【請求項１７】
基地局側、路側機側又はユーザー装置側で実現される請求項１から１５のいずれか１項に記載の電子装置。
【請求項１８】
前記ユーザー装置は車両を含む請求項１から１５のいずれか１項に記載の電子装置。
【請求項１９】
無線通信に用いられる電子装置であって、
ユーザー装置が第１の伝送時間間隔よりも小さい短伝送時間間隔で近距離サービス通信を行う場合に、前記第１の伝送時間間隔と同じ長さを持つスケジューリング割り当てシグナリングが少なくとも１つ含まれるスケジューリング割り当てシグナリングを確定し、
それぞれが短伝送時間間隔を有する少なくとも２つの伝送ブロックが同じサブフレームで伝送されるように制御し、前記サブフレームの長さが前記第１の伝送時間間隔と同じである、
ように配置される処理回路を含む電子装置。
【請求項２０】
無線通信方法であって、
ユーザー装置が第１の伝送時間間隔よりも小さい短伝送時間間隔で近距離サービス通信を行う場合に、それぞれが短伝送時間間隔を有する少なくとも２つの互いに独立した伝送ブロックが同じサブフレームで伝送されるように制御し、前記サブフレームの長さが前記第１の伝送時間間隔と同じであること、を含む方法。
【請求項２１】
ユーザー装置側で用いられる電子装置であって、
制御ノードからの指示情報を受信するように制御し、
前記ユーザー装置が第１の伝送時間間隔よりも小さい短伝送時間間隔で近距離サービス通信を行う場合に、前記ユーザー装置の伝送ブロックと短伝送時間間隔を有する別の伝送ブロックとが同じサブフレームで伝送されるように前記指示情報に基づいて制御し、前記サブフレームの長さが前記第１の伝送時間間隔と同じである、
ように配置される処理回路を含む電子装置。
【請求項２２】
ユーザー装置側で用いられる電子装置であって、
前記ユーザー装置が第１の伝送時間間隔で近距離サービス通信を行う場合に、同じサブフレームで伝送されるそれぞれが前記第１の伝送時間間隔よりも小さい短伝送時間間隔を有する少なくとも２つの互いに独立した伝送ブロックに関連付けられるスケジューリング割り当てシグナリングを受信するように制御し、前記サブフレームの長さが前記第１の伝送時間間隔と同じである、
ように配置される処理回路を含む電子装置。
【請求項２３】
前記処理回路はさらに、
前記ユーザー装置の伝送失敗の頻度が所定のレベルに達する場合、又は、
前記ユーザー装置が復号化できないスケジューリング割り当てシグナリングを受信した割合が所定のレベルに達する場合に、
対応する指示情報を制御ノードにレポートする、
ように配置される請求項２２に記載の電子装置。
【発明の詳細な説明】
【技術分野】
【０００１】
本開示は、一般的に、無線通信分野に関し、より具体的に、無線通信に使用される電子装置、ユーザー装置側の電子装置及び無線通信方法に関する。
【背景技術】
【０００２】
第３世代のパートナーシッププロジェクト（３ＧＰＰ）Ｒ１４におけるＰＣ５に基づくサイドリンク（ｓｉｄｅｌｉｎｋ）サブフレームは、１４個の直交周波数分割多重（ＯＦＤＭ）シンボルで構成され、自動ゲイン制御（ＡＧＣ）設置と保護間隔（ＧＡＰ）シンボル、復調基準信号（ＤＭＲＳ）シンボル及びデータシンボルが含まれる。研究のさらなる進歩により、例えば車両と他の装置（Ｖ２Ｘ）とのサービスの低遅延及び高信頼性要件が考慮されて、短伝送時間間隔（ｓＴＴＩ）の使用をサポートするＰＣ５操作が提案される。ｓＴＴＩは１つのサブフレームの長さよりも小さく、必要に応じて柔軟に配置されることができる。Ｓｉｄｅｌｉｎｋ  Ｖ２Ｘについて、ｓＴＴＩの構造はより適合し、これは、車両の高速移動性により、車両のタイミングが異なる場合があり、車両の即時情報を取得することが困難であるからである。
【発明の概要】
【発明が解決しようとする課題】
【０００３】
ｓＴＴＩの採用はＶ２Ｘサービスの低遅延などの要件を満たすことができるが、通信中に従来のサブフレームの長さＴＴＩを使用する車両は、通信リソースを選択／使用するときにｓＴＴＩを使用する車両と競合する場合がある。
【０００４】
図８に示すＲ１４ユーザー装置とＲ１５ユーザー装置が共存するシナリオ例では、ｓＴＴＩの導入により、次の問題が発生する可能性がある。ＰＣ５に基づく近距離サービス通信は、７個のシンボル長さのｓＴＴＩを採用し、図９に示すように、特定のサブフレームでは、送信用のタイムスロットは１つだけであり、Ｒ１４ユーザー装置が感知を行う過程では、Ｒ１４ユーザー装置は、サブフレームが図１０に示す占用場合を有すると間違って考えることがあるので、当該サブフレームでの不正確なＳ-ＲＳＳＩ結果が取得され、感知測定が不正確になる。
【課題を解決するための手段】
【０００５】
本発明に関するある態様の基本的理解を提供するように、本発明に関する簡単な概説を以下に示す。以下の概説が本発明に関する網羅的な概説ではないと理解すべきである。それは、本発明の肝心又は重要部分を確定することを意図するものではなく、本発明の範囲を限定することを意図するものでもない。その目的は、後述するより詳細な説明の前置きとして、簡略化された形でいくつかの概念を提示することである。
【０００６】
一実施例によれば、無線通信に用いられる電子装置は処理回路を含み、処理回路は、ユーザー装置が第１の伝送時間間隔よりも小さい短伝送時間間隔で近距離サービス通信を行う場合に、それぞれが短伝送時間間隔を有する少なくとも２つの互いに独立した伝送ブロックが同じサブフレームで伝送されるように制御し、当該サブフレームの長さが第１の伝送時間間隔と同じであるように配置される。
【０００７】
他の実施例によれば、無線通信に用いられる電子装置は、処理回路を含み、処理回路は、ユーザー装置が第１の伝送時間間隔よりも小さい短伝送時間間隔で近距離サービス通信を行う場合に、第１の伝送時間間隔と同じ長さを持つスケジューリング割り当てシグナリングが少なくとも１つ含まれるスケジューリング割り当てシグナリングを確定し、それぞれが短伝送時間間隔を有する少なくとも２つの伝送ブロックが同じサブフレームで伝送されるように制御し、サブフレームの長さが第１の伝送時間間隔と同じであるように配置される。
【０００８】
さらに他の実施例によれば、無線通信方法は、ユーザー装置が第１の伝送時間間隔よりも小さい短伝送時間間隔で近距離サービス通信を行う場合に、それぞれが短伝送時間間隔を有する少なくとも２つの互いに独立した伝送ブロックが同じサブフレームで伝送されるように制御し、サブフレームの長さが第１の伝送時間間隔と同じであることを含む。
【０００９】
さらに他の実施例によれば、ユーザー装置側で用いられる電子装置は処理回路を含み、処理回路は、制御ノードからの指示情報を受信するように制御し、ユーザー装置が第１の伝送時間間隔よりも小さい短伝送時間間隔で近距離サービス通信を行う場合に、ユーザー装置の伝送ブロックと短伝送時間間隔を有する別の伝送ブロックが同じサブフレームで伝送されるように指示情報に基づいて制御し、サブフレームの長さが第１の伝送時間間隔と同じであるように配置される。
【００１０】
さらに他の実施例によれば、ユーザー装置側で用いられる電子装置は処理回路を含み、処理回路は、ユーザー装置が第１の伝送時間間隔で近距離サービス通信を行う場合に、同じサブフレームで伝送されるそれぞれが第１の伝送時間間隔よりも小さい短伝送時間間隔を有する少なくとも２つの互いに独立した伝送ブロックに関連付けられるスケジューリング割り当てシグナリングを受信するように制御し、サブフレームの長さが第１の伝送時間間隔と同じであるように配置される。
【００１１】
本発明の実施例によれば、ｓＴＴＩの伝送ブロックを組み合わせて同じサブフレームで伝送することによって、ｓＴＴＩ伝送が発生するサブフレームの充填度を向上させることができ、それにより、時間リソースの断片化の問題及び／又は感知測定が不正確になる問題を解決するのに有利である。
【図面の簡単な説明】
【００１２】
本発明は、添付の図面と併せて与えられる以下の説明を参照することによって、よりよく理解されることができ、同じ又は類似の構成要素について、図面全体にわたって同じ又は類似の参照符号が使用されている。前記図面は以下の詳細な説明と共に、本明細書に含まれて、本明細書の一部を形成し、また、本発明の好ましい実施例をさらに例示し、本発明の原理及び利点を説明するために使用される。図面では、
【００１３】
【図１】本発明の一実施例による無線通信に用いられる電子装置の配置例を示すブロック図である。
【図２】他の実施例による無線通信に用いられる電子装置の配置例を示すブロック図である。
【図３】さらに他の実施例による無線通信に用いられる電子装置の配置例を示すブロック図である。
【図４】本発明の一実施例による無線通信に用いられる電子装置の配置例を示すブロック図である。
【図５】本発明の一実施例による無線通信方法のプロセス例を示すフローチャートである。
【図６】本発明の一実施例によるユーザー装置側で使用される電子装置の配置例を示すブロック図である。
【図７】本発明の他の実施例によるユーザー装置側で用いられる電子装置の配置例を示すブロック図である。
【図８】本発明の実施例の適用シナリオの例である異なる伝送時間間隔を使用するユーザー装置が共存する場合を示す模示図である。
【図９】短伝送時間間隔を使用するユーザー装置の伝送サブフレームの実際の占用場合の例を示す図である。
【図１０】長伝送時間間隔を使用するユーザー装置の視角での図９に示すサブフレームの占用場合を示す図である。
【図１１】例示的な実施例による基地局とユーザー装置との間で実行される例示的な手順を説明するためのフローチャートである。
【図１２】ペアリングの場合のサブフレーム構造の一例を示す図である。
【図１３】例示的な実施例に係るペアリング手順を説明するためのフローチャートである。
【図１４】スケジューリング割り当てシグナリングを説明するための模示図である。
【図１５】スケジューリング割り当てシグナリングを説明するための模示図である。
【図１６】スケジューリング割り当てシグナリングを説明するための模示図である。
【図１７】本開示の方法及び装置を実現するコンピューターの例示的な構造を示すブロック図である。
【図１８】本開示の技術を適用可能なスマートフォンの概略配置の一例を示すブロック図である。
【図１９】本開示の技術を適用可能なｅＮＢ（進化型基地局）の概略配置の一例を示すブロック図である。
【図２０】本開示の技術を適用可能なカーナビゲーション装置の概略配置の一例を示すブロック図である。
【発明を実施するための形態】
【００１４】
以下、図面を参照して本発明の実施例を説明する。本発明の図面の１つ又は一実施形態で説明された要素及び特徴は、１つ又は複数の他の図面又は実施形態に示された要素及び特徴と組み合わせられてもよい。明確にするために、本発明に関係のない当業者に知られている構成要素及び処理の表現及び説明は、図面及び説明から省略されていることに留意されたい。
【００１５】
図１に示すように、本実施例による無線通信に用いられる電子装置１００は処理回路１１０を含む。処理回路１１０は例えば、特定のチップ、チップセット又は中央処理ユニット（ＣＰＵ）として実現されることができる。
【００１６】
処理回路１１０は制御ユニット１１１を含む。なお、制御ユニット１１１及び他のユニットは、図面では機能ブロックの形で示されるが、制御ユニット１１１及び他のユニットの機能は、処理回路１１０によって全体として実現してもよく、処理回路１１０における別個の実際の部材によって必ずしも実現されるわけではないことは理解されるべきである。また、処理回路１１０は図面では１つのブロックで示されるが、電子装置１００は複数の処理回路を含み、制御ユニット１１１及び他のユニットの機能を複数の処理回路に分散することができ、それによって、複数の処理回路が協調して動作し、対応する機能を実行する。
【００１７】
制御ユニット１１１は、ユーザー装置が第１の伝送時間間隔よりも小さい短伝送時間間隔で近距離サービス通信を行う場合に、それぞれが短伝送時間間隔を有する少なくとも２つの互いに独立した伝送ブロックが同じサブフレームで伝送されるように制御し、サブフレームの長さが第１の伝送時間間隔と同じであるように配置される。
【００１８】
ここで説明された「互いに独立した」とは、組み合わせられずに異なるサブフレームで別々に送信される伝送ブロックであり、異なるユーザー装置の伝送ブロックを含んでもよいし、異なるサブフレームで別々に送信されることができる同じユーザー装置の伝送ブロックを含んでもよい。要するに、制御ユニット１１１の上記の処理が行われない場合に、互いに独立した伝送ブロックは、異なるサブフレームで別々に伝送され、制御ユニット１１１の処理によって、互いに独立した伝送ブロックが同じサブフレームで組み合わせられて伝送され、サブフレームの充填度を向上させることができ、ひいては、時間リソースの断片化の問題及び長伝送時間間隔を採用するユーザー装置の短伝送時間間隔を採用するユーザー装置に対する感知測定が不正確になる問題を解決するのに有利である。
【００１９】
一実施例によれば、少なくとも２つの互いに独立した伝送ブロックを伝送するサブフレームの構造は第１の伝送時間間隔で行われる近距離サービス通信のサブフレーム構造と同じであってもよい。
【００２０】
例えば、第１の伝送時間間隔（以下、ＴＴＩと呼ばれてもよい）は、１４個の直交周波数分割多重シンボルを含むことができ、短伝送時間間隔（以下、ｓＴＴＩと呼ばれてもよい）は、最大７個の直交周波数分割多重シンボルを含むことができる。
【００２１】
より具体的に、図１２に示すように、サブフレームでは、１番目のシンボルはＡＧＣ設置であり、３番目、６番目、９番目、及び１２番目のシンボルはＤＭＲＳシンボルであり、１４番目のシンボルは、保護間隔ＧＡＰとして使用される。図１２に示される例では、サブフレームは、例えば、車両ユーザー装置（ＶＵＥ）などの２つのユーザー装置の伝送ブロック（それぞれ第１のｓＴＴＩ及び第２のｓＴＴＩに対応する）を含む。それに対応して、ＡＧＣは２つのユーザー装置ＶＵＥ１及びＶＵＥ２用である。
【００２２】
しかしながら、本発明は上記の例に限定されず、ＴＴＩは任意の数量のＯＦＤＭシンボルを含んでもよく、ｓＴＴＩは、ＴＴＩよりも少ない任意の数量のＯＦＤＭシンボルを含んでもよい。また、１つの種類のＴＴＩには、複数の種類のｓＴＴＩが存在し、長さがＴＴＩと同じ１つのサブフレームで、これらのｓＴＴＩの長さの合計がＴＴＩを超えない限り、同じ長さ又は異なる長さを有する任意の数量のｓＴＴＩの伝送ブロックを組み合わせて伝送する。
【００２３】
制御ユニット１１１は、様々な方法に従って、同じサブフレームで伝送される伝送ブロックを確定することができる。例えば、一実施例によれば、伝送される情報が優先度を有する場合に、制御ユニット１１１は、伝送される情報の優先度に基づいて同じサブフレームで伝送される伝送ブロックを確定するように配置される。例えば、同じ又は近い優先度に対応する伝送ブロックを同じサブフレームで優先的に伝送することができる。しかしながら、本発明はこれに限定されず、例えば情報のデータ量、ユーザー装置の位置及び移動速度などに基づいて伝送ブロックの組み合わせを確定してもよく、又は、上記の要素を考慮せずに伝送ブロックの組み合わせを例えばランダムに確定してもよい。
【００２４】
また、以上、車両がユーザー装置の例として言及されたが、本発明はこれに限定されない。近距離サービス通信は、例えばマインタイプ通信（ＭＴＣ）、デバイスツーデバイス（Ｄ２Ｄ）通信、車両と他の装置との（Ｖ２Ｘ）通信、モノのインターネット（ＩＯＴ）通信等が含まれる。
【００２５】
なお、通信配置によっては、伝送ブロックの組み合わせを確定及び制御する制御ノードは基地局側で実現されてもよいし、ユーザー装置側で実現されてもよい。Ｖ２Ｘの適用について、制御ノードは路側機側で実現されてもよい。例えば、Ｖ２Ｘには、２つの種類のＶ２Ｘ通信モードがあり、リソースの割り当てを例として、主に２つのリソース割り当て方法が含まれ、１つは基地局スケジューリング（ｍｏｄｅ  ３）であり、もう１つはＵＥ自分選択（ｍｏｄｅ  ４）である。Ｍｏｄｅ  ３及び４はさらに、情報の優先度を判断して衝突時に比較及び電力調整を行うための、アップリング伝送に対する優先度フィールドを含む。
【００２６】
上記のように、互いに独立した伝送ブロックは異なるユーザー装置からの伝送ブロックを含むことができる。これに対応して、一実施例によれば、短伝送間隔を採用するユーザー装置を組み合わせることができる。図２に示すように、本実施例による無線通信に用いられる電子装置２００は処理回路２１０を含み、処理回路は組み合わせユニット２１１及び制御ユニット２１３を含む。
【００２７】
組み合わせユニット２１１は、短伝送間隔を使用するユーザー装置を組み合わせるように配置される。これに対応して、制御ユニット２１３は、組み合わせられたユーザー装置の伝送ブロックが同じサブフレームで伝送されるように制御するように配置される。
【００２８】
一実施例によれば、組み合わせユニット２１１はユーザー装置の間の類似度に従って組み合わせることができる。類似度は伝送される情報の優先度、伝送される情報のデータ量、ユーザー装置の位置及びユーザー装置の移動速度などに基いて確定されることができる。
【００２９】
以上、伝送ブロックを組み合わせるのに関する処理について説明し、当該処理は所定のトリガー条件に基づいて行われてもよい。
【００３０】
まだ図１を参照し、一実施例によれば、制御ユニット１１１は、所定の条件を満たす場合に、同じサブフレームで互いに独立した伝送ブロックを伝送する制御を行うように配置されることができる。
【００３１】
具体的に、所定の条件は、同じリソースプールを共有する複数のユーザー装置がそれぞれ第１の伝送時間間隔と短伝送時間間隔で近距離サービス通信を行うことを含むことができる。当該所定の条件を満たす場合に、ＴＴＩを採用するユーザー装置がｓＴＴＩのユーザー装置によって感知測定が不正確になるという問題が発生する可能性があり、そのため、当該問題を軽減するために、伝送ブロックの組み合わせ伝送をトリガーすることができる。
【００３２】
さらに、所定の条件はさらに、リソースプールのチャネルビジー率が所定のレベルよりも高く、且つ、第１の伝送時間間隔を採用するユーザー装置の短伝送時間間隔を採用するユーザー装置に対する数量比が所定の範囲にあることを含んでもよい。
【００３３】
以下、ｓＴＴＩをサポートしない車両（例えば、Ｒ１４車両と呼ばれる）とｓＴＴＩをサポートする車両（例えば、Ｒ１５車両と呼ばれる）をユーザー装置の例として当該トリガー条件について説明する。あるリソースプールでは、次の２つの条件が同時に満たされる場合、イベントがトリガーされる。
【００３４】
条件１：ＣＢＲ＞Ｃｏｏｒｄｉｎａｔｅｔｈｒ；
条件２：ｒａｔｉｏＴｙｐｅｍｉｎ＜ＮＲ１４／ＮＲ１５＜ｒａｔｉｏＴｙｐｅｍａｘ。
【００３５】
ここで、ＣＢＲはチャネルビジー率を表し、Ｓ-ＲＳＳＩがある閾値を超えるサブチャネルの割合を表することができ、Ｃｏｏｒｄｉｎａｔｅｔｈｒはチャネルビジー率の閾値を表し、ＮＲ１４、ＮＲ１５はそれぞれ、当該リソースプールにおけるＲ１４及びＲ１５車両の数量を表し、ｒａｔｉｏＴｙｐｅｍｉｎ及びｒａｔｉｏＴｙｐｅｍａｘはそれぞれ、数量比の下限及び上限を表す。
【００３６】
リソースプールの負荷が小さい場合、両方の車両が選択するのに十分なリソースを持ち、共存はパフォーマンスに影響を与えないため、メカニズムがトリガーされる前提条件の１つとして条件１が使用される。
【００３７】
また、Ｒ１４車両が少ないか、又はＲ１５車両が少ない場合に、共存は個別の車両にのみ影響し、この場合に、セルの全体的なパフォーマンスはほとんど影響を及ぼさず、追加のシグナリングインタラクティブが増加されることを防止するためにペアリングメカニズムを適用しないことができる。条件２は別のトリガー条件として使用される。
【００３８】
本例示的な実施例では、ペアリングメカニズムをトリガーするために２つの条件が同時に満たされる必要がある。また、Ｃｏｏｒｄｉｎａｔｅｔｈｒと（ｒａｔｉｏＴｙｐｅｍｉｎ、ｒａｔｉｏＴｙｐｅｍａｘ）との間に対応関係を設置することができる。つまり、閾値Ｃｏｏｒｄｉｎａｔｅｔｈｒと（ｒａｔｉｏＴｙｐｅｍｉｎ、ｒａｔｉｏＴｙｐｅｍａｘ）との複数の組み合わせを採用することができる。例えば、Ｃｏｏｒｄｉｎａｔｅｔｈｒ＝ｖ１に対応し、（ｒａｔｉｏＴｙｐｅｍｉｎ、ｒａｔｉｏＴｙｐｅｍａｘ）は（５０％、８０％）であってもよく、即ち、ＣＢＲ＞Ｃｏｏｒｄｉｎａｔｅｔｈｒ＝ｖ１を条件１として使用するときに、条件２は５０％＜ＮＲ１４／ＮＲ１５＜８０％であり、条件１及び条件２が満たされるときにペアリングメカニズムはトリガーされる。閾値の組み合わせは例えば、ネットワーク側で予め配置されるものであり、例えばｅＮｏｄｅＢなどの制御ノードは閾値を最適化することができる。
【００３９】
此外、第１の伝送時間間隔を採用するユーザー装置の通信状況に関する所定の条件を設置してもよく、例えば：第１の伝送時間間隔を採用するユーザー装置の伝送失敗の頻度が所定のレベルに達するか、又は、第１の伝送時間間隔を採用するユーザー装置が復号化できないスケジューリング割り当てシグナリングを受信した割合が所定のレベルに達することである。
【００４０】
以下、Ｍｏｄｅ  ４  Ｒ１４車両を、第１の伝送時間間隔を使用するユーザー装置例として当該トリガー条件について説明する。
【００４１】
条件３：Ｍｏｄｅ  ４車両は感知結果の偏差に起因する頻繁な伝送失敗によってトリガーされる。
【００４２】
ｍｏｄｅ  ４  Ｒ１４車両が候補リソースセット（感知結果によって確定される）におけるリソースを使用して伝送するときに、その伝送失敗の確率はＰＣＲＳｆａｉｌであり、伝送失敗が頻繁であり、一定期間継続する場合、この状況をｅＮｏｄｅＢなどの制御ノードに報告し、イベントをトリガーすることができる。ここで、失敗確率の閾値とトリガー期間は基地局によってセルの現在のリソースプールの状況に従って配置することができ、基地局が配置しない場合、事前配置された情報を使用することができる。
【００４３】
当該レポート活動とパラメータは、ｅＮｏｄｅＢによってＲＲＣシグナリングを介して配置されるか、又はＳＩＢで事前に配置される。
【００４４】
また、ｅＮｏｄｅＢはＭｏｄｅ  ４  Ｒ１４車両が当該状況をレポートするときにリソースプールにおけるＣＢＲ及びＮＲ１４／ＮＲ１５に従って、ｅＮｏｄｅＢ内部判断メカニズムにおけるパラメータを継続的に最適化及び修正することができる。
【００４５】
条件４：Ｍｏｄｅ  ４車両は、復号化することができない大量の「間違った」ＳＡトリガーを受信した。
【００４６】
Ｒ１４車両はＲ１５車両によって送信される短ＳＡを復号化することができないため、それらが短ＳＡを受信したときに、「間違った」ＳＡと見なされて復号化されない。Ｒ１４車両が一定期間にリッスンする全てのＳＡのうち、「間違った」ＳＡの割合が高すぎる場合、基地局によってセルの現在のリソースプールの状況に従って配置し、基地局が配置しない場合、事前配置された情報を使用することができる。
【００４７】
同様に、当該レポート活動とパラメータは、ｅＮｏｄｅＢによってＲＲＣシグナリングを介して配置されるか、ＳＩＢで事前に配置されるものであってもよい。ｅＮｏｄｅＢはＭｏｄｅ  ４  Ｒ１４車両が当該状況をレポートするときにリソースプールにおけるＣＢＲ及びＮＲ１４／ＮＲ１５に従って、ｅＮｏｄｅＢ内部判断メカニズムにおけるパラメータを継続的に最適化及び修正する。
【００４８】
上記のトリガー条件は、基地局などの中央制御ノードで行われる処理用であり、しかしながら、例えば、車両（又は他のタイプのユーザー装置）がネットワークカバレッジ外にある場合に、車両共存状況を制御及び通知する中央制御ノードがない。この場合に、Ｒ１５  Ｖ２Ｘのいくつかの適用例には、車両のキューイング、協調運転及び拡張感知（Ｅｘｔｅｎｄｅｄ  Ｓｅｎｓｏｒ）などが含まれるが、これらに限定されない。これらの例では、車両の間で頻繁なｓＴＴＩ伝送が行われ、下位互換性を確保するために、Ｒ１５車両は、周囲にＲ１４車両が存在することを発見するときに、ペアリングメカニズム及びその後の互換性のあるＳＡ送信方案をトリガーすることができる。
【００４９】
車両のキューイングを例として、Ｒ１５車列のマネージャーが周囲にＲ１４車両が存在することを発見したときに、イベントは車列マネージャーでトリガーされ、マネージャーは車列メンバーに通知し、車列メンバーにリソースを割り当てるときにペアリングメカニズムを採用して、メンバーのｓＴＴＩ伝送が伝送用のサブフレームを埋めることができる。また、ペアリングの車両にＳＡの送信モードを通知することができる。
【００５０】
拡張感知の例について、Ｒ１５車両は、周囲にＲ１４車両が存在することを発見したときに、レポートせずに、ペアリングメカニズムを自分でトリガーすることができ、又は、制御ノード（基地局や車列マネージャーなどと同様）による通知の後にトリガーすることができる。
【００５１】
上記の実施例では、スケジューリング割り当て（ＳＡ）シグナリングの送信、及び、第１の伝送時間間隔を採用したユーザー装置が復号化することができないＳＡを受信した場合に関する。３ＧＰＰは、ｓＴＴＩを使用したＰＣ５操作がＲ１４における操作と同じ又は異なるＳＡフォーマットで同じリソースプールに共存することを期待する。Ｓｉｄｅｌｉｎｋ伝送では、ＳＡは物理サイドリンク制御チャネル（ＰＳＣＣＨ）で伝送され、関連するデータの位置及び継続時間を少なくとも指示することができる。ＳＡを復号化することによって、ユーザー装置は、対応するデータを感知してそのエネルギー又は物理サイドリンク共有チャネル参照信号受信電力（ＰＳＳＣＨ-ＲＳＲＰ）を取得することができる。例えば、伝送モード４（ｍｏｄｅ  ４）について、ユーザー装置は、候補リソースセットを確定するために感知操作が必要であり、１つの方法はＳＡを復号化する方法であり、もう１つの方法は、サブフレームのサイドリンク受信信号強度指示（Ｓ-ＲＳＳＩ）値を測定することであり、即ち、エネルギー感知である。
【００５２】
次に、当該問題についてさらに説明し、Ｒ１４、Ｒ１５ユーザー装置をユーザー装置の例として使用する。
【００５３】
Ｒ１５ユーザー装置について、ｓＴＴＩも使用してＳＡを伝送する場合、Ｒ１４ユーザー装置はそれを復号化することができいため、ＰＳＳＣＨ-ＲＳＲＰ測定を行うことができず、感知操作に影響を及ぼす。また、Ｒ１４ユーザー装置がＳＡを復号化することができる場合では、Ｒ１４ユーザー装置はＲ１５  ＳＡにおける情報を取得することができるが、１つのタイムスロットで伝送することができず、時間リソースが断片化されることになる。上記の問題は、Ｒ１４ユーザー装置のリソースの（再）選択プロセスに影響を与え、システムパフォーマンスを低下させる可能性がある。
【００５４】
上記の問題を考慮して、一実施例による無線通信に用いられる電子装置はさらに、スケジューリング割り当てシグナリンの伝送モード及び／又はコンテンツを確定するように配置される。図３に示すように、電子装置３００は処理回路３１０を含み、処理回路３１０は確定ユニット３１１と制御ユニット３１３を含む。
【００５５】
確定ユニット３１１は、同じサブフレームで伝送される伝送ブロックに従って、当該サブフレームに使用されるスケジューリング割り当てシグナリングの伝送モード及び／又はコンテンツを確定する。
【００５６】
図１及び図２を参照して前述した対応する各ユニットの機能に加えて、制御ユニット３１３は、スケジューリング割り当てシグナリングを確定されたように伝送するように制御することができる。
【００５７】
具体的に、スケジューリング割り当てシグナリングの伝送モードは、第１の伝送時間間隔と同じ長さを持つ１つのスケジューリング割り当てシグナリングを伝送すること、第１の伝送時間間隔と同じ長さを持つ１つのスケジューリング割り当てシグナリング及びサブフレームにおける伝送ブロックの短伝送時間間隔にそれぞれ対応するｎ個のスケジューリング割り当てシグナリングを伝送すること、又は、第１の伝送時間間隔と同じ長さを持つｎ個のスケジューリング割り当てシグナリングを伝送することを含んでも良く、ｎがサブフレームにおける伝送ブロックの数量である。
【００５８】
一実施例によれば、スケジューリング割り当てシグナリングはＳＣＩ  ｆｏｒｍａｔ（サイドリンク制御情報フォーマット）で実現することができ、確定ユニット３１１はさらに、ＳＣＩ  ｆｏｒｍａｔの予約ビットに伝送リソースに関する情報を追加するように配置されることができる。
【００５９】
例えば、確定ユニット３１１は、スケジューリング割り当てシグナリングの予約ビットに伝送リソースに関する情報を追加するように配置されてもよく、制御ユニット３１３は、システム情報ブロックにおいて、追加された情報の定義をユーザー装置に通知するように制御することができる。
【００６０】
次に、スケジューリング割り当てシグナリングの伝送モード及びコンテンツを確定する具体的な方法を、具体的な例を参照して説明する。以下の実施例における特定の詳細は、限定ではなく例示として解釈されるべきである。
【００６１】
ｓＴＴＩで伝送されるＲ１５車両は、ペアリング後に１つのサブフレームで伝送され、これにより、時間断片化と、不正確なＳ-ＲＳＳＩの結果の問題が解決される。さらに、Ｒ１４車両が短ＳＡを復号化することができない問題を解決するために、ペアリングユーザーはＲ１４  ＳＡのフォーマット、例えばＳＣＩ  ｆｏｒｍａｔ  １を使用して長さが１つのサブフレームである少なくとも１つのＳＡを送信する必要がある。新しいＳＣＩ  ｆｏｒｍａｔを追加する方式を使用して実現してもよいことは理解されることができる。
【００６２】
まず、以下の表１に示すように、ＳＣＩ  ｆｏｒｍａｔ  １の各ドメインのコンテンツを分析する。
【００６３】
【表１】
2020527876.tif 000003
【００６４】
ペアリングされる２つのユーザーのＳＡに含まれた情報の相違に従って、次のような３つの方案を実施例として提供する。
【００６５】
方案一：１つの再設計された従来のＳＡを伝送する
【００６６】
ペアリングメカニズムでは、ペアリングされる２つのｓＴＴＩ伝統は同じＶＵＥからのものであるか、又は例えば、車列メンバー、車両の協調運転などのようにペアリングされる車両の位置が近く、同時に伝送する場合、ペアリングされる２つの車両のＳＡコンテンツはよく似ている。表１の分析によれば、両方の間に存在する可能性がある唯一の違いは「初回伝送とさい伝送の周波数リソースの位置」ドメインに現れ、このドメイン値の計算方法は次の通りである。
【００６７】
【数１】
2020527876.tif 000004
【００６８】
ここで、NsubCHは高レベルパラメータｎｕｍＳｕｂｃｈａｎｎｅｌ-ｒ１４によって決定されたリソースプール内の全てのサブチャネルの数である。
【００６９】
メッセージサイズが類似することはペアリングされる対象の選別の基準の１つであり、これが満たされる場合、２つの車両に同じ数量のサブチャネルが割り当てられ、ペアリングされる車両は、「初回伝送と再伝送の周波数リソース位置」ドメインの値に区別がない可能性があるか、区別が開始サブチャネルインデックス番号の差分のみである。そのため、ＳＣＩ  ｆｏｒｍａｔ  １のうち予約ビットによりペアリングされる２つのユーザーの周波数リソース位置の差を表すことができる。予約ビットに新たに追加されたドメインは「ＲＩＶオフセット（ＲＩＶ  ｏｆｆｓｅｔ）」と呼ばれ、即ち、
【数２】
2020527876.tif 000005
その定義はＳＩＢでは車両に配置される。
【００７０】
この場合、図１４に示すように、ペアリングされる２つの車両は１つの従来のＳＡのみを送信する必要がある。当該ＳＡのコンテンツは表２に示す。
【００７１】
【表２】
2020527876.tif 000006
【００７２】
方案二：再設計された従来のＳＡと２つの短ＳＡを伝送する
【００７３】
実際の感知測定では、ｍｏｄｅ  ４車両はＳＣＩフォーマット１における以下の３つのドメインのコンテンツのみを必要とし、即ち、優先度、初回伝送と再伝送との周波数リソースの位置、リソース予約（ｍｏｄｅ  ４に限る）である。
【００７４】
そのため、ペアリングされる２つのユーザーのこれらの３つのドメインは１つの従来のＳＡで記述されることができる限り（方案一に示すように）、Ｒ１４車両について、感知操作には１つの従来のＳＡで十分である。
【００７５】
しかし、ペアリングされる車両は他のドメインでも異なる場合、受信方は、関連データを正常に復号化することができるために、図１５に示すように、ペアリングされる車両は、それぞれ１つの追加の短ＳＡを送信する必要がある。短ＳＡは、Ｒ１５車両専用のＳＡであり、Ｒ１４車両によって復号化される必要がない。Ｒ１４  ＳＡに対して、ｓＴＴＩの導入のみを考慮すれば、伝送の時間粒度は半分になり、別のドメインを追加する必要がないが、いくつかのドメインのコンテンツはＲ１４  ＳＡに基づいて変更され、コンテンツの変更に応じて、そのビット数は変更される可能性があり、具体的に、表３に示す。
【００７６】
【表３】
2020527876.tif 000007
【００７７】
方案三：長さがＴＴＩである２つのＳＡをそれぞれ伝送する
【００７８】
方案二のセクションと異なり、ペアリングされる車両の感知操作に必要なコンテンツは１つの従来のＳＡに配置されることができない（この場合は通常、ペアリング可能なＲ１５車両が多くないか又はペアリングがｍｏｄｅ  ４車両の間に発生するシナリオに現れる）場合、２台の車はそれぞれのＳＡを送信する必要があり、下位互換性を満たすために、当該ＳＡのフォーマットはＳＣＩ  ｆｏｒｍａｔ  １と同じで、ＴＴＩで送信される必要がある。
【００７９】
このＳＡはＴＴＩで送信されるが、Ｒ１５受信者に復号化に必要な情報を取得させるために、そのコンテンツは従来のＴＴＩとは異なるが、各ドメインが占用するビット数は変わらない。同時に、そのコンテンツは短ＳＡのコンテンツと同じであるが、ビット数が異なる可能性がある。また、２つのＳＡは同じサブフレームで伝送され、ＴＴＩで送信されるので、ＳＡが示すタイムスロットを識別するために、予約ビットに「タイムスロットインデックス」を追加して、１ｂｉｔを占用する必要がある。この方案では、このようなＳＡは長ＳＡと呼ばれ、具体的なコンテンツは表４に示す通りである。表の斜体部分は感知操作に必要がドメインであり、そのビット数及びコンテンツはＲ１４と互換性がある必要がある。
【００８０】
【表４】
2020527876.tif 000008
【００８１】
次に、ＳＡ方案の選択と指示の例について説明する。１つのＲ１５車両について、上記で提案された３つの方案が、イベントがトリガーされない場合に１つの短ＳＡを自分で送信する方案と組み合わせられ、合計４つの可能なＳＡ送信モードがある。
【００８２】
ｍｏｄｅ  ３の場合に、基地局はペアリングされるユーザーに対してＳＡ送信方案を選択して、送信者を決定し、これらの情報はＳＬ（サイドリンク）認可ではアリングされるユーザーに通知される。ＳＬ認可での「ＳＡインデックス」は定義され、２  ｂｉｔｓを占用し、その意味が表５に示される。ｍｏｄｅ  ４の場合に、両方はペアリングインタラクションププロセスの両方の情報の違いに従って、ペアリングされるユーザー自分によってＳＡの送信モードを決定する。
【００８３】
【表５】
2020527876.tif 000009
【００８４】
引き続き図３を参照すると、一実施例によれば、制御回路３１０はスケジューリング割り当てシグナリングの伝送モードをユーザー装置に指示するための指示情報を生成するように配置される生成ユニット３１５を含んでもよい。例えば、当該指示情報は無線リソース制御シグナリング又は非アクセス層シグナリングに含まれてもよい。
【００８５】
まだＲ１４、Ｒ１５車両を例として、ネットワークカバレッジ内の車両について、イベントがトリガーされた後、基地局は例えば、１つの指示ビットでＲ１５車両に通知することができ、当該指示ビットはシステム制御シグナリングに追加されることができ、ＲＲＣ又はＮＡＳなどのシグナリングを含むが、これらに限定されない。以下、ＲＲＣシグナリングを例として指示ビットを定義する。
【００８６】
ｓＴＴＩを使用して伝送するＲ１５車両について、指示ビットを次のように定義することができる。
【００８７】
指示ビットは「協調インデックス」と呼ばれ、ＲＲＣシグナリングでは１ビットを占用し、現在のリソースプールでは、自分がＳＡ及びデータをｓＴＴＩで伝送するかどうかことをＲ１５車両に通知する。
【００８８】
例えば、「協調インデックス」がに「０」に設置されるときに、Ｒ１５車両は自分でＳＡとデータをｓＴＴＩで伝送することができ、「協調インデックス」が「１」に設置されるときに、リソースの（再）選択／割り当て及びＳＡ伝送では、上記の実施例におけるメカニズムが使用される。
【００８９】
なお、Ｒ１４及びＲ１５は一部のリソースプールのみに共存する場合、Ｒ１５専用リソースプールでは、「協調インデックス」の値は常に「０」であり、Ｒ１５車両が共有リソースプールに入った後、指示ビットの値はイベントがトリガーされた後に変化する。
【００９０】
次に、図４を参照して、他の実施例による無線通信に用いられる電子装置を説明する。図４に示すように、本実施例による電子装置４００は処理回路４１０を含み、処理回路４１０は確定ユニット４１１と制御ユニット４１３を含む。
【００９１】
確定ユニット４１１は、ユーザー装置が第１の伝送時間間隔よりも小さい短伝送時間間隔で近距離サービス通信を行う場合に、第１の伝送時間間隔と同じ長さを持つ少なくとも１つのスケジューリング割り当てシグナリングが含まれるスケジューリング割り当てシグナリングを確定するように配置される。
【００９２】
制御ユニット４１３は、ｓｉｄｅｌｉｎｋ  ｇｒａｎｔが、それぞれが短伝送時間間隔を有する少なくとも２つの伝送ブロックが同じサブフレームで伝送されるように制御し、当該サブフレームの長さが第１の伝送時間間隔と同じであるように配置される。
【００９３】
次に、図１１を参照して、上記の各実施例に関する全体的な手順例についてＶＵＥを例として説明する。
【００９４】
まず、基地局側でトリガー条件の監視を実行し、さらに、ユーザー装置側は所定の条件に基づいて基地局にレポートすることができる。
【００９５】
イベントトリガー条件が満たされるときに、基地局は例えば、「協調インデックス」によって、対応する協調メカニズムを使用することをユーザー装置に通知する。
【００９６】
Ｍｏｄｅ  ３  Ｒ１５ユーザー装置について、ｓｉｄｅｌｉｎｋリソースを基地局に要求することで、基地局によってペアリングモードなどを確定し、ｓｉｄｅｌｉｎｋ認可を行う。
【００９７】
Ｍｏｄｅ  ４  Ｒ１５ユーザー装置について、自分によってペアリングを実行することができる。
【００９８】
次に、ユーザー装置のペアリングの例示的な手順を説明する。
【００９９】
まず、Ｍｏｄｅ  ３車両に対するペアリングメカニズムを説明する。ｍｏｄｅ  ３車両にリソースをスケジューリングする手順では、基地局はペアリングメカニズムを実行する。
【０１００】
具体的には、以下のステップを含むことができる。
【０１０１】
まず、ｍｏｄｅ  ３車両は、リソースを申請するときに、ＲＲＣの「ＳｉｄｅｌｉｎｋＵＥＩｎｆｏｒｍａｔｉｏｎ」ドレインで受信方ＩＤをアップロードし、「ＵＥＡｓｓｉｓｔａｎｃｅＩｎｆｏｒｍａｔｉｏｎ」ドメインで優先度（ＰＰＰＰ）をアップロードし、ＩＥ  ＬｏｃａｔｉｏｎＩｎｆｏで詳細な地理位置情報をアップロードし、ＢＳＲ制御ユニットで伝送に必要なリソースサイズを説明する。
【０１０２】
次に、基地局は、車両によってアップロードされるこれらの情報に従って、リソースを同時に申請する車両をペアリングし、その基本ペアリング原則は、できるだけ、類似度の高い車両をペアリングされる車両とすることであり、Ｒ１５  ＶＵＥの伝送に必要な連続するｓＴＴＩの数量は偶数である場合、ペアリングは不要になる。
【０１０３】
その後、基地局は、ペアリングされる車両にサブフレームを粒度としてリソースを割り当て、両方がそれぞれどのタイムスロットで伝送されるかということを指示する。
【０１０４】
ペアリング伝送の目的は２つの独立したｓＴＴＩを１つのサブフレームで伝送することであるため、Ｒ１４車両から、１つのＲ１４サブフレームでの１つのＴＴＩ伝送と同じように見える。そのため、ペアリングの原則はペアリングユーザーの送信電力をできるだけ近くし、類似するリソースの位置とサイズを占用することである。
【０１０５】
上記のように、ペアリング標準では、優先度は最も重要な要素であり、その値が固定され（車両のＶ２Ｘサービスタイプによって決定され）、送信電力の大きさ、及びｓｉｄｅｌｉｎｋ伝送がアップリンク伝送と競合するときの処理方式が決定されるので、同じサブフレームで伝送される２つのユーザーは、まず、サービス優先度が同じであることを保証する必要があり、その次、地理位置が近く、これは、両方によって送信される要求の時間が近く、また、同じリソースプールでは、ＭＣＳの決定要素が主にチャネル品質とビットエラーレートであり、この場合、基地局は、地理位置が近いユーザーに対して同じＭＣＳを選択することができるからであり、最後に、メッセージサイズが類似しており、これは、両方のメッセージサイズが類似し、ＭＣＳが同じである場合に、基地局は２つのペアリングされるユーザーに対して同じ数量のサブチャネルを割り当てることができるからである。ペアリングされる車両を選択する３つの標準の優先度は、高いものから低いものまで、サービス優先度、地理位置、メッセージサイズである。
【０１０６】
ペアリングメカニズムは、同時に伝送される車両情報を比較する必要があり、ｓｉｄｅｌｉｎｋ伝送ができるだけ１つのサブフレームを埋めるようにリソースを再割り当てられ、ペアリングされるユーザーの伝送情報がそれほど変わらない。そのため、ｍｏｄｅ  ３のような中央制御のスケジューリング方法はペアリングメカニズムにより適合し、しかしながら、ペアリングメカニズムはｍｏｄｅ  ４ユーザー装置にも使用することができる。
【０１０７】
次に、Ｍｏｄｅ  ４車両に対するペアリングメカニズムの例について説明する。
【０１０８】
ｍｏｄｅ  ４車両がペアリングメカニズムを使用するシナリオでは、具体的なフローは次のようにまとめることができる。
【０１０９】
まず、車両はペアリング要求を周囲の車両にブロードキャストし、ペアリング可能なＲ１５  ｍｏｄｅ  ４車両は当該要求に応答する。
【０１１０】
次に、通信範囲内のペアリング可能な車両は、優先度、地理的位置、通信先、メッセージサイズ、リソース予約情報などが含まれる送信情報をペアリング可能な車両グループ内でマルチキャストする。
【０１１１】
次に、車両は、上記の実施例と同様の方法で適切な車両を選択してペアリングを行う。  ペアリングの車両は、両方の感知結果を組み合わせて、伝送リソースとＳＡ伝送モードを選択することができる。
【０１１２】
Ｍｏｄｅ  ４車両をペアリングする手順の例を図１３に示す。
【０１１３】
以上、無線通信に用いられる電子装置の実施例を説明する。また、本発明は、送受信装置及び上記の実施例による電子装置を含むことができる対応する無線通信装置も含む。
【０１１４】
また、上述した本発明の実施例による装置及びデバイスの説明では、いくつかの方法及びプロセスも開示されていることは明らかである。次に、上述した詳細の一部を繰り返さずに、本発明の実施例による無線通信方法について説明する。
【０１１５】
図５に示すように、本実施例による無線通信方法では、ユーザー装置が第１の伝送時間間隔よりも小さい短伝送時間間隔で近距離サービス通信を行う場合に（Ｓ５１０のＹ）、それぞれが短伝送時間間隔を有する少なくとも２つの互いに独立した伝送ブロックを同じサブフレームで伝送し（Ｓ５２０）、サブフレームの長さは第１の伝送時間間隔と同じである。
【０１１６】
前述の実施例は、基地局のスケジューリングとリソースの自分選択に対する車両のペアリングメカニズムに関する。前者の場合、ｅＮｏｄｅＢは複数の独立したｓＴＴＩに対して、集中的にスケジューリングされるリソースを伝送する。後者の場合、車両は周囲の車両とインタラクティブし、ペアリング可能な車両は範囲内で自身の伝送情報をマルチキャストして、適切な車両を選択してペアリング伝送を行う。
【０１１７】
次に、上述した詳細を繰り返さずに、本発明の一実施形態によるユーザ装置側で用いられる電子装置の配置例について説明する。
【０１１８】
図６に示すように、一実施例によるユーザー装置側で用いられる電子装置６００は、処理回路６１０を含む。処理回路６１０は受信制御ユニット６１１と送信制御ユニット６１３を含む。
【０１１９】
本実施例は、短伝送時間間隔を使用するユーザー装置（例えば、Ｍｏｄｅ  ３  Ｒ１５  ＶＵＥ）に対応する。
【０１２０】
受信制御ユニット６１１は、制御ノードからの指示情報を受信するように制御するように配置される。制御ノードは例えば基地局、ＲＳＵや別のユーザー装置を含んでもよい。
【０１２１】
送信制御ユニット６１３は、ユーザー装置が第１の伝送時間間隔よりも小さい短伝送時間間隔で近距離サービス通信を行う場合に、ユーザー装置の伝送ブロックと短伝送時間間隔を有する別の伝送ブロックとが同じサブフレームで伝送されるように指示情報に基づいて制御し、サブフレームの長さが第１の伝送時間間隔と同じであるように配置される。
【０１２２】
「短伝送時間間隔を有する別の伝送ブロック」は、このユーザー装置の伝送ブロック又は他のユーザー装置の伝送ブロックを含んでもよい。
【０１２３】
図７に示すように、一実施例によるユーザー装置側で用いられる電子装置７００は処理回路７１０を含む。処理回路７１０は受信制御ユニット７１１を含む。また、処理回路７１０はレポート制御ユニット７１３をさらに含んでもよい。
【０１２４】
本実施例は、長伝送時間間隔を採用するユーザー装置（例えば、Ｍｏｄｅ  ３  Ｒ１４  ＶＵＥ）に対応する。
【０１２５】
受信制御ユニット７１１は、ユーザー装置が第１の伝送時間間隔で近距離サービス通信を行う場合に、同じサブフレームで伝送されるそれぞれが第１の伝送時間間隔よりも小さい短伝送時間間隔を有する少なくとも２つの互いに独立した伝送ブロックに関連付けられるスケジューリング割り当てシグナリングを受信するように制御し、サブフレームの長さが前記第１の伝送時間間隔と同じであるように配置される。
【０１２６】
さらに、受信制御ユニット７１１は、伝送ブロックを感知測定するように制御するように配置されてもよい。
【０１２７】
レポート制御ユニット７１３は、ユーザー装置の伝送失敗の頻度が所定のレベルに達する場合、又は、ユーザー装置が復号化できないスケジューリング割り当てシグナリングを受信した割合が所定のレベルに達する場合に、対応する指示情報を制御ノードにレポートするように配置される。
【０１２８】
また、本出願の実施例は、上記のユーザー装置側で用いられる電子装置６００、７００に対応する無線通信装置及び無線通信方法をさらに含む。
【０１２９】
また、本出願の実施例は、無線通信に用いられる電子装置をさらに含み、ユーザー装置が第１の伝送時間間隔よりも小さい短伝送時間間隔で近距離サービス通信を行う場合に、それぞれが短伝送時間間隔を有する少なくとも２つの互いに独立した伝送ブロックが同じサブフレームで伝送されるように制御し、当該サブフレームの長さが第１の伝送時間間隔と同じであるように配置される制御ユニットを含む。
【０１３０】
本出願の実施例は無線通信に用いられる電子装置をさらに含み、ユーザー装置が第１の伝送時間間隔よりも小さい短伝送時間間隔で近距離サービス通信を行う場合に、第１の伝送時間間隔と同じ長さを持つスケジューリング割り当てシグナリングが少なくとも１つ含まれるスケジューリング割り当てシグナリングを確定するように配置される確定ユニットと、それぞれが短伝送時間間隔を有する少なくとも２つの伝送ブロックが同じサブフレームで伝送されるように制御し、サブフレームの長さが第１の伝送時間間隔と同じであるように配置される制御ユニットとを含む。
【０１３１】
本出願の実施例は、ユーザー装置側で用いられる電子装置をさらに含み、制御ノードからの指示情報を受信するように制御するように配置される受信制御ユニットと、ユーザー装置が第１の伝送時間間隔よりも小さい短伝送時間間隔で近距離サービス通信を行う場合に、ユーザー装置の伝送ブロックと短伝送時間間隔を有する別の伝送ブロックが同じサブフレームで伝送されるように指示情報に基づいて制御し、サブフレームの長さが第１の伝送時間間隔と同じであるように配置される送信制御ユニットとを含む。
【０１３２】
本出願の実施例は、ユーザー装置側で用いられる電子装置をさらに含み、ユーザー装置が第１の伝送時間間隔で近距離サービス通信を行う場合に、同じサブフレームで伝送されるそれぞれが第１の伝送時間間隔よりも小さい短伝送時間間隔を有する少なくとも２つの互いに独立した伝送ブロックに関連付けられるスケジューリング割り当てシグナリングを受信するように制御し、サブフレームの長さが第１の伝送時間間隔と同じであるように配置される制御ユニットを含む。
【０１３３】
一例として、上記方法の各ステップ及び上記装置の各構成モジュール及び／又はユニットは、ソフトウェア、ファームウェア、ハードウェア又はそれらの組み合わせとして実施されることができる。ソフトウェア又はファームウェアによって実現する場合に、記憶媒体又はネットワークから専用のハードウェア構成を有するコンピューター(例えば、図１７に示す汎用コンピューター２０００)へ上記方法を実施するためのソフトウェアを構成するプログラムをインストールして、当該コンピューターは、各種のプログラムがインストールされる場合に、各種の機能などを実行することができる。
【０１３４】
図１７では、演算処理ユニット（即ち、ＣＰＵ）２００１は、読み取り専用メモリ（ＲＯＭ）２００２に記憶されたプログラム又は記憶部分２００８からランダムアクセスメモリ（ＲＡＭ）２００３にロードされたプログラムに従って各種の処理を実行する。ＲＡＭ２００３において、必要に応じて、ＣＰＵ２００１が各種の処理などを実行する際に必要なデータも記憶される。ＣＰＵ２００１、ＲＯＭ２００２、及びＲＡＭ２００３はバス２００４を介して互いに接続される。入力／出力インタフェース２００５もバス２００４に接続される。
【０１３５】
入力部分２００６（キーボード、マウスなどを含む）、出力部分２００７（例えば陰極線管（ＣＲＴ）、液晶ディスプレイ（ＬＣＤ）などのディスプレイ、スピーカなどを含む）、記憶部分２００８（ハードウェアなどを含む）、通信部分２００９（例えばＬＡＮカードやモデムなどのネットワークインタフェースカードを含む）が入力／出力インタフェース２００５に接続される。通信部分２００９は例えばインターネットなどのネットワークを介して通信処理を実行する。必要に応じて、ドライバー２０１０は入力／出力インタフェース２００５に接続されてもよい。例えば磁気ディスク、光ディスク、光磁気ディスク、半導体メモリなどのリムーバブルメディア２０１１は、その中から読み出されるコンピュータプログラムが必要に応じて記憶部２００８にインストールされるように、必要に応じてドライバー２０１０に装着される。
【０１３６】
ソフトウェアによって上記した一連の処理を実現する場合に、例えばインターネットであるネットワーク又は例えばリムーバブルメディア２０１１である記憶媒体から、ソフトウェアを構成するプログラムをインストールする。
【０１３７】
当業者が理解すべきことは、このような記憶媒体が図１７に示すような、その中にプログラムが記憶され、装置とは別途配布してユーザーにプログラムを提供するリムーバブルメディア２０１１に限定されない。リムーバブルメディア２０１１の例は、磁気ディスク（フロッピーディスク（登録商標）を含む）、光ディスク（光ディスク読み取り専用メモリ（ＣＤ-ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、ＲＯＭ２００２、記憶部分２００８に含まれたハードウェアなどであってもよく、その中にプログラムが記憶され、これらが含まれた装置と一緒にユーザーに配布する。
【０１３８】
本発明の実施例はさらに、機械可読指令コードが記憶されたプログラム製品に関する。前記指令コードが機器によって読み取られて実行される時に、上記した本発明の実施例による方法を実行することができる。
【０１３９】
これに対応して、上記した機械可読指令コードが記憶されるプログラム製品を担うための記憶媒体も本発明の開示に含まれる。前記記憶媒体は、フロッピーディスク、光ディスク、光磁気ディスク、メモリカード、メモリスティックなどを含むが、これらに限定されない。
【０１４０】
本出願の実施例はさらに、以下の電子装置に関する。電子装置が基地局側に使用される場合、電子装置は、ｇＮＢや例えばマクロｅＮＢや小ｅＮＢなどの進化ノードＢ（ｅＮＢ）のような任意のタイプの基地局として実現されることができる。小ｅＮＢは、例えばピコｅＮＢ、マイクロｅＮＢ、及び家庭(フェムト)ｅＮＢなどのマクロセルより小さいセルをカバーできるｅＮＢであってもよい。その代わりに、電子装置は、例えばＮｏｄｅＢと基地局トランシーバ(ＢＴＳ)のような任意の別のタイプの基地局として実現されることができる。電子装置は、無線通信を制御するように配置される本体(基地局装置とも呼ばれる)と、本体と異なるところに設けられる１つ又は複数のリモート無線ヘッド(ＲＲＨ)とを含むことができる。また、後述する様々なタイプのユーザー装置はいずれも、基地局機能を一時的又は半永久的に実行することによって、基地局として機能することができる。
【０１４１】
電子装置は、ユーザー装置側に用いられる場合に、携帯端末(例えばスマートフォン、タブレットパーソナルコンピューター(ＰＣ)、ノートＰＣ、携帯ゲーム端末、ポータブル／ドングルモバイルルーター、及びデジタル撮影装置など)又は車載端末(カーナビゲーション装置など)として実現されることができる。また、電子装置は、上記端末のそれぞれに搭載された無線通信モジュール(例えば単一又は複数のチップが含まれる集積回路モジュール)であってもよい。
【０１４２】
[端末装置についての適用例]
図１８は本開示の技術を適用可能なスマートフォン２５００の概略配置の一例を示すブロック図である。スマートフォン２５００はプロセッサ２５０１、メモリ２５０２、記憶装置２５０３、外部接続インタフェース２５０４、撮影装置２５０６、センサー２５０７、マイク２５０８、入力装置２５０９、表示装置２５１０、スピーカ２５１１、無線通信インタフェース２５１２、１つ又は複数のアンテナスイッチ２５１５、１つ又は複数のアンテナ２５１６、バス２５１７、バッテリー２５１８及び補助コントローラ２５１９を含む。
【０１４３】
プロセッサ２５０１は例えばＣＰＵ又はシステムオンチップ(ＳｏＣ)であり、スマートフォン２５００のアプリケーション層と別の層の機能を制御することができる。メモリ２５０２はＲＡＭとＲＯＭを含み、データとプロセッサ２５０１によって実行されるプログラムが記憶される。記憶装置２５０３は例えば半導体メモリとハードディスクのような記憶媒体を含むことができる。外部接続インタフェース２５０４は外部装置(例えばメモリカードとユニバーサルシリアルバス(ＵＳＢ)装置)をスマートフォン２５００に接続するためのインタフェースである。
【０１４４】
撮影装置２５０６はイメージセンサー(例えば電荷結合デバイス(ＣＣＤ)と相補型金属酸化物半導体(ＣＭＯＳ))を含み、撮影画像を生成する。センサー２５０７は例えば測定センサー、ジャイロセンサー、地磁気センサー及び加速度センサーのような１組みのセンサーを含んでもよい。マイク２５０８は、スマートフォン２５００に入力された音をオーディオ信号に変換する。入力装置２５０９は例えば表示装置２５１０のスクリーンにおけるタッチを検出するように配置されるタッチセンサー、キーパッド、キーボード、ボタン又はスイッチを含み、ユーザーから入力された動作又は情報を受信する。表示装置２５１０はスクリーン(例えば液晶ディスプレイ(ＬＣＤ)と有機発光ダイオード(ＯＬＥＤ)ディスプレイ)を含み、スマートフォン２５００の出力画像を表示する。スピーカ２５１１はスマートフォン２５００から出力したオーディオ信号を音に変換する。
【０１４５】
無線通信インタフェース２５１２は任意のセルラー通信方式(例えば、ＬＴＥとＬＴＥ-先進)をサポートし、無線通信を実行する。無線通信インタフェース２５１２は通常、例えばＢＢプロセッサ２５１３とＲＦ回路２５１４を含むことができる。ＢＢプロセッサ２５１３は例えば、符号化／復号化、変調／復調、多重化／多重化解除を実行すると共に、無線通信のための様々なタイプの信号処理を実行することができる。同時に、ＲＦ回路２５１４は例えばミキサ、フィルタ、及び増幅器を含み、アンテナ２５１６を介して無線信号を送受信することができる。無線通信インタフェース２５１２はその上にＢＢプロセッサ２５１３とＲＦ回路２５１４が集積化される１つのチップモジュールであってもよい。図１８に示すように、無線通信インタフェース２５１２は複数のＢＢプロセッサ２５１３と複数のＲＦ回路２５１４を含んでもよい。図１８に、無線通信インタフェース２５１２に複数のＢＢプロセッサ２５１３と複数のＲＦ回路２５１４が含まれる例を示したが、無線通信インタフェース２５１２は単一のＢＢプロセッサ２５１３又は単一のＲＦ回路２５１４を含んでもよい。
【０１４６】
なお、セルラー通信方式の以外、無線通信インタフェース２５１２は、例えば短距離無線通信方式、近接通信方式や無線ローカルネットワーク(ＬＡＮ)方式などの別のタイプの無線通信方式をサポートすることができる。この場合、無線通信インタフェース２５１２は各種の無線通信方式に対するＢＢプロセッサ２５１３とＲＦ回路２５１４を含んでもよい。
【０１４７】
アンテナスイッチ２５１５のそれぞれは無線通信インタフェース２５１２に含まれる複数の回路(例えば異なる無線通信方式に使用される回路)間でアンテナ２５１６の接続先を切り替える。
【０１４８】
アンテナ２５１６のそれぞれは単一又は複数のアンテナ素子(例えばＭＩＭＯアンテナに含まれる複数のアンテナ素子)を含み、無線通信インタフェース２５１２の無線信号の送受信に使用される。図１８に示すように、スマートフォン２５００は複数のアンテナ２５１６を含んでもよい。図１８に、スマートフォン２５００に複数のアンテナ２５１６が含まれる例を示したが、スマートフォン２５００は単一のアンテナ２５１６を含んでもよい。
【０１４９】
なお、スマートフォン２５００は各種の無線通信方式に対するアンテナ２５１６を含んでもよい。この場合に、アンテナスイッチ２５１５はスマートフォン２５００の配置から省略されてもよい。
【０１５０】
バス２５１７はプロセッサ２５０１、メモリ２５０２、記憶装置２５０３、外部接続インタフェース２５０４、撮像装置２５０６、センサー２５０７、マイク２５０８、入力装置２５０９、表示装置２５１０、スピーカ２５１１、無線通信インタフェース２５１２及び補助コントローラ２５１９を互いに接続する。バッテリー２５１８は給電線によって図１８に示すスマートフォン２５００の各ブロックに電力を提供し、給電線は図面において部分的に点線として示される。補助コントローラ２５１９は例えばスリープモードでスマートフォン２５００の最低限必要な機能を動作させる。
【０１５１】
図１８に示すスマートフォン２５００では、本発明の実施例による無線通信装置の送受信装置又は送受信ユニットは、無線通信インタフェース２５１２によって実現することができる。本発明の実施例による無線通信に用いられる電子装置又は情報処理装置の処理回路及び／又は各ユニットの機能の少なくとも一部は、プロセッサ２５０１又は補助コントローラ２５１９によって実現することができる。例えば、補助コントローラ２５１９がプロセッサ２５０１の機能の一部を実行することで、バッテリー２５１８の消費電力を低減することができる。また、プロセッサ２５０１又は補助コントローラ２５１９は、メモリ２５０２又は記憶装置２５０３に記憶されたプログラムを実行することで、本発明の実施例による電子装置又は無線通信装置の処理回路及び／又は各ユニットの機能の少なくとも一部を実行することができる。
【０１５２】
[基地局についての適用例]
図１９は本開示の技術を適用可能なｅＮＢの概略配置の一例を示すブロック図である。ｅＮＢ２３００は１つ又は複数のアンテナ２３１０及び基地局装置２３２０を含む。基地局装置２３２０と各アンテナ２３１０は無線周波数（ＲＦ）ケーブルを介して接続されてもよい。
【０１５３】
アンテナ２３１０のそれぞれは単一又は複数のアンテナ素子(例えば多入力多出力(ＭＩＭＯ)アンテナに含まれる複数のアンテナ素子)を含み、基地局装置２３２０の無線信号の送受信に使用される。図１９に示すように、ｅＮＢ２３００は複数のアンテナ２３１０を含んでもよい。  例えば、複数のアンテナ２３１０はｅＮＢ２３００に使用される複数の周波数領域と互換性があり得る。図１９に、ｅＮＢ２３００には複数のアンテナ２３１０が含まれる例を示したが、ｅＮＢ２３００は単一のアンテナ２３１０を含んでもよい。
【０１５４】
基地局装置２３２０は、コントローラ２３２１、メモリ２３２２、ネットワークインタフェース２３２３及び無線通信インタフェース２３２５を含む。
【０１５５】
コントローラ２３２１は例えばＣＰＵ又はＤＳＰであり、基地局装置２３２０の上位層の各種機能を動作させることができる。例えば、コントローラ２３２１は無線通信インタフェース２３２５によって処理された信号におけるデータに基づいて、データパケットを生成し、ネットワークインタフェース２３２３を介して、生成されたパケットを伝達する。コントローラ２３２１は複数のベースバンドプロセッサからのデータをバンドルして、バンドルパケットを生成し、生成されたバンドルパケットを伝達することができる。コントローラ２３２１は以下のような制御を実行する論理機能を有してもよく、当該制御は例えば、無線リソース制御、無線ベアラ制御、移動管理、受付制御、及びスケジューリングなどである。当該制御は、近くのｅＮＢ又はコアネットワークノードと結合して実行されることができる。メモリ２３２２はＲＡＭとＲＯＭを含み、コントローラ２３２１によって実行されるプログラム及び各種制御データ(例えば、端末リスト、送信パワーデータ及びスケジューリングデータ)が記憶される。
【０１５６】
ネットワークインタフェース２３２３は基地局装置２３２０をコアネットワーク２３２４の通信インタフェースに接続するためのものである。コントローラ２３２１はネットワークインタフェース２３２３を介してコアネットワークノード又は別のｅＮＢと通信することができる。この場合、ｅＮＢ２３００とコアネットワークノード又は別のｅＮＢとは論理インタフェース(例えばＳ１インタフェースとＸ２インタフェース)によって互いに接続される。ネットワークインタフェース２３２３は有線通信インタフェース又は無線バックホール回線用の無線通信インタフェースであってもよい。ネットワークインタフェース２３２３が無線通信インタフェースであれば、ネットワークインタフェース２３２３は、無線通信インタフェース２３２５によって使用される周波数帯よりも高い周波数帯を無線通信に使用することができる。
【０１５７】
無線通信インタフェース２３２５は任意のセルラー通信方式(例えば、長期的な進化(ＬＴＥ)及びＬＴＥー先進)をサポートし、アンテナ２３１０を介してｅＮＢ２３００のセルに位置する端末への無線接続を提供する。無線通信インタフェース２３２５は通常、例えばＢＢプロセッサ２３２６とＲＦ回路２３２７を含むことができる。ＢＢプロセッサ２３２６は例えば、符号化／復号化、変調／復調、多重化／多重化解除を実行すると共に、レイヤー(例えばＬ１、メディアアクセス制御(ＭＡＣ)、無線リンク制御(ＲＬＣ)、パケットデータアグリゲーションプロトコル(ＰＤＣＰ))の様々なタイプの信号処理を実行することができる。コントローラ２３２１の代わりに、ＢＢプロセッサ２３２６は上記した論理機能の一部又は全部を有してもよい。ＢＢプロセッサ２３２６は通信制御プログラムが記憶されるメモリであってもよく、或いは、プログラムを実行するように配置されるプロセッサ及び関連する回路を含むモジュールであってもよい。プログラムの更新はＢＢプロセッサ２３２６の機能を変更させることができる。当該モジュールは基地局装置２３２０のスロットに挿入されるカード又はブレッドであってもよい。その代わりに、当該モジュールはカード又はブレッドに搭載されるチップであってもよい。同時に、ＲＦ回路２３２７は、例えばミキサ、フィルタ、増幅器を含み、アンテナ２３１０を介して無線信号を送受信してもよい。
【０１５８】
図１９に示すように、無線通信インタフェース２３２５は複数のＢＢプロセッサ２３２６を含んでもよい。例えば、複数のＢＢプロセッサ２３２６は、ｅＮＢ２３００によって使用される複数の周波数領域と互換性があり得る。図１９に示すように、無線通信インタフェース２３２５は複数のＲＦ回路２３２７を含んでもよい。例えば、複数のＲＦ回路２３２７は複数のアンテナ素子と互換性があり得る。図１９には、無線通信インタフェース２３２５には複数のＢＢプロセッサ２３２６と複数のＲＦ回路２３２７が含まれる例を示したが、無線通信インタフェース２３２５は単一のＢＢプロセッサ２３２６又は単一のＲＦ回路２３２７を含んでもよい。
【０１５９】
図１９に示すｅＮＢ２３００において、本発明の実施例による無線通信装置の送受信装置又は送受信ユニットは、無線通信インタフェース２３２５によって実現することができる。本発明の実施例による無線通信装置に用いられる電子装置の処理回路及び／又は各ユニットの機能の少なくとも一部は、コントローラ２３２１によって実現してもよい。例えば、コントローラ２３２１は、メモリ２３２２に記憶されるプログラムを実行することで、本発明の実施例による電子装置又は無線通信装置の処理回路及び／又は各ユニットの機能の少なくとも一部を実行することができる。
【０１６０】
[カーナビゲーション装置についての適用例]
図２０は本開示の技術を適用可能なカーナビゲーション装置２１２０の概略配置の一例を示すブロック図である。カーナビゲーション装置２１２０はプロセッサ２１２１、メモリ２１２２、全球位置決めシステム(ＧＰＳ)モジュール２１２４、センサー２１２５、データインタフェース２１２６、コンテンツプレーヤー２１２７、記憶媒体インタフェース２１２８、入力装置２１２９、表示装置２１３０、スピーカ２１３１、無線通信インタフェース２１３３、１つ又は複数のアンテナスイッチ２１３６、１つ又は複数のアンテナ２１３７及びバッテリー２１３８を含む。
【０１６１】
プロセッサ２１２１は例えばＣＰＵ又はＳｏＣであり、カーナビゲーション装置２１２０のナビゲーション機能と別の機能を制御することができる。メモリ２１２２はＲＡＭとＲＯＭを含み、データとプロセッサ２１２１によって実行されるプログラムが記憶される。
【０１６２】
ＧＰＳモジュール２１２４はＧＰＳ衛星から受信したＧＰＳ信号を使用してカーナビゲーション装置２１２０の位置(例えば、緯度、経度、高度)を測定する。センサー２１２５は例えばジャイロセンサー、地磁気センサー及び気圧センサーのような１組みのセンサーを含んでもよい。データインタフェース２１２６は図示しない端末を介して例えば車のネットワーク２１４１に接続され、車両によって生成されたデータ(例えば、車速データ)を取得する。
【０１６３】
コンテンツプレーヤー２１２７は記憶媒介(例えば、ＣＤとＤＶＤ)に記憶されたコンテンツを再生し、当該記憶媒介は記憶媒介インタフェース２１２８に挿入される。入力装置２１２９は例えば表示装置２１３０のスクリーンでのタッチを検出するように配置されるタッチセンサー、ボタン又はスイッチを含み、ユーザーから入力された動作又は情報を受信する。表示装置２１３０は例えばＬＣＤやＯＬＥＤディスプレイのスクリーンを含み、ナビゲーション機能の画像又は再生されたコンテンツを表示する。スピーカ２１３１はナビゲーション機能の音又は再生されたコンテンツを出力する。
【０１６４】
無線通信インタフェース２１３３は任意のセルラー通信方式(例えば、ＬＴＥとＬＴＥ−先進)をサポートし、無線通信を実行することができる。無線通信インタフェース２１３３は通常、例えばＢＢプロセッサ２１３４とＲＦ回路２１３５を含むことができる。ＢＢプロセッサ２１３４は、例えば符号化／復号化、変調／復調、及び多重化／多重化解除を実行すると共に、無線通信に使用される様々なタイプの信号処理を実行することができる。同時に、ＲＦ回路２１３５は例えばミキサ、フィルタ、増幅器を含み、アンテナ２１３７を介して無線信号を送受信することができる。無線通信インタフェース２１３３はその上にＢＢプロセッサ２１３４とＲＦ回路２１３５が集積化される１つのチップモジュールであってもよい。図２０に示すように、無線通信インタフェース２１３３は複数のＢＢプロセッサ２１３４と複数のＲＦ回路２１３５を含んでもよい。図２０に、無線通信インタフェース２１３３に複数のＢＢプロセッサ２１３４と複数のＲＦ回路２１３５が含まれる例を示したが、無線通信インタフェース２１３３は単一のＢＢプロセッサ２１３４又は単一のＲＦ回路２１３５を含んでもよい。
【０１６５】
なお、セルラー通信方式の以外、無線通信インタフェース２１３３は、例えば短距離無線通信方式、近接通信方式、及び無線ＬＡＮ方式のような別のタイプの無線通信方式をサポートすることができる。この場合、各種の無線通信方式ごとに、無線通信インタフェース２１３３はＢＢプロセッサ２１３４とＲＦ回路２１３５を含んでもよい。
【０１６６】
アンテナスイッチ２１３６のそれぞれは無線通信インタフェース２１３３に含まれる複数の回路(例えば、異なる無線通信方式に使用される回路)間でアンテナ２１３７の接続先を切り替える。
【０１６７】
アンテナ２１３７のそれぞれは単一又は複数のアンテナ素子(例えばＭＩＭＯアンテナに含まれる複数のアンテナ素子)を含み、無線通信インタフェース２１３３の無線信号の送受信に使用される。図２０に示すように、カーナビゲーション装置２１２０は複数のアンテナ２１３７を含んでもよい。図２０に、カーナビゲーション装置２１２０には複数のアンテナ２１３７が含まれる例を示したが、カーナビゲーション装置２１２０は単一のアンテナ２１３７を含んでもよい。
【０１６８】
なお、カーナビゲーション装置２１２０は、各種の無線通信方式に対するアンテナ２１３７を含んでもよい。この場合、アンテナスイッチ２１３６はカーナビゲーション装置２１２０の配置から省略されてもよい。
【０１６９】
バッテリー２１３８は給電線によって図２０に示すカーナビゲーション装置２１２０の各ブロックに電力を提供し、給電線は図面において部分的に点線として示される。バッテリー２１３８は車両から提供された電力を蓄積する。
【０１７０】
図２０に示すカーナビゲーション装置２１２０では、本発明の実施例による無線通信装置の送受信装置又は送受信ユニットは、無線通信インタフェース２１３３によって実現することができる。本発明の実施例による電子装置又は無線通信装置の処理回路及び／又は各ユニットの機能の少なくとも一部は、プロセッサ２１２１によって実現してもよい。
【０１７１】
本開示の技術はカーナビゲーション装置２１２０、車のネットワーク２１４１及び車両モジュール２１４２のうち１つ又は複数のブロックが含まれた車載システム(又は車両)２１４０として実現されてもよい。車両モジュール２１４２は車両データ(例えば車速、エンジン速度、故障情報)を生成し、生成されたデータを車のネットワーク２１４１に出力する。
【０１７２】
上記の本発明の具体的な実施形態についての説明では、１つの実施形態について記載及び／又は図示された特徴は、１つ又は複数の他の実施形態において、他の実施形態における特徴と組み合わせて、又はその代わりに、同じ又は類似の方法で使用されることができる。
【０１７３】
本明細書で使用する「含む／含まれる」という用語とは、特徴、要素、ステップ又は構成部品の存在を指すが、１つ又は複数の他の特徴、要素、ステップ又は構成部品の存在又は追加を排除するものではないことは強調されるべきである。
【０１７４】
上記の実施形態及び実施例では数字からなる参照符号を使用して各ステップ及び／又はユニットを示す。当業者であれば、これらの参照符号は説明及び図面の便宜のためだけであり、順序又は他の任意の限定を表すことを意図しないことを理解すべきである。
【０１７５】
また、本発明の方法は、明細書に記載された時系列順に限定されるものではなく、他の時系列で、並行して、又は独立して実行されてもよい。従って、本明細書に記載された方法の実行順序は、本発明の技術的範囲を限定するものではない。
【０１７６】
以上、本発明の具体的な実施例の説明によって本発明を開示したが、上記の全ての実施形態及び実施例は例示的なものであり、限定的なものではないことは理解すべきである。当業者であれば、添付の特許請求の範囲の精神及び範囲内で、本発明に対する様々な修正、改良、又は等価物を考案することができる。これらの修正、改良、又は等価物も本発明の範囲内に含まれると考えられるべきである。
【図１】
2020527876.tif 000010
【図２】
2020527876.tif 000011
【図３】
2020527876.tif 000012
【図４】
2020527876.tif 000013
【図５】
2020527876.tif 000014
【図６】
2020527876.tif 000015
【図７】
2020527876.tif 000016
【図８】
2020527876.tif 000017
【図９】
2020527876.tif 000018
【図１０】
2020527876.tif 000019
【図１１】
2020527876.tif 000020
【図１２】
2020527876.tif 000021
【図１３】
2020527876.tif 000022
【図１４】
2020527876.tif 000023
【図１５】
2020527876.tif 000024
【図１６】
2020527876.tif 000025
【図１７】
2020527876.tif 000026
【図１８】
2020527876.tif 000027
【図１９】
2020527876.tif 000028
【図２０】
2020527876.tif 000029
【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
無線通信に用いられる電子装置であって、
ユーザー装置が第１の伝送時間間隔よりも小さい短伝送時間間隔で近距離サービス通信を行う場合に、それぞれが短伝送時間間隔を有する少なくとも２つの互いに独立した伝送ブロックが同じサブフレームで伝送されるように制御し、前記サブフレームの長さが前記第１の伝送時間間隔と同じである、
ように配置される処理回路を含む電子装置。
【請求項２】
前記サブフレームの構造は、前記第１の伝送時間間隔で行われる近距離サービス通信のサブフレームの構造と同じである、
請求項１に記載の電子装置。
【請求項３】
前記第１の伝送時間間隔は、１４個の直交周波数分割多重シンボルを含み、前記短伝送時間間隔は、最大７個の直交周波数分割多重シンボルを含む、
請求項１に記載の電子装置。
【請求項４】
前記処理回路は、
伝送される情報の優先度に基づいて、同じサブフレームで伝送される伝送ブロックを確定する、
ように配置される請求項１に記載の電子装置。
【請求項５】
前記少なくとも２つの互いに独立した伝送ブロックは、異なるユーザー装置からのものであり、前記処理回路は、
組み合わせられるユーザー装置の伝送ブロックが同じサブフレームで伝送されるように、短伝送間隔を使用するユーザー装置を組み合わせる、
ように配置される請求項１に記載の電子装置。
【請求項６】
前記処理回路は、
伝送される情報の優先度と、
伝送される情報のデータ量と、
ユーザー装置の位置と、
ユーザー装置の運動速度と、
のうち１つ又は複数に基づいて確定された類似度に従って前記組み合わせを行う、
ように配置される請求項５に記載の電子装置。
【請求項７】
前記処理回路はさらに、所定の条件を満たした場合に、前記制御を行うように配置され、
前記所定の条件は、
同じリソースプールを共有する複数のユーザー装置がそれぞれ前記第１の伝送時間間隔と短伝送時間間隔で近距離サービス通信を行うことを含む、
請求項１に記載の電子装置。
【請求項８】
前記所定の条件はさらに、
前記リソースプールのチャネルビジー率が所定のレベルよりも高く、かつ、
前記第１の伝送時間間隔を使用するユーザー装置の短伝送時間間隔を使用するユーザー装置に対する数量比が所定の範囲にあること、
を含む請求項７に記載の電子装置。
【請求項９】
前記所定の条件はさらに、
前記第１の伝送時間間隔を使用するユーザー装置の伝送失敗の頻度が所定のレベルに達すること、又は、
前記第１の伝送時間間隔を使用するユーザー装置が復号化できないスケジューリング割り当てシグナリングを受信した割合が所定のレベルに達すること、
を含む請求項７に記載の電子装置。
【請求項１０】
前記処理回路はさらに、
同じサブフレームで伝送される伝送ブロックに従って、前記サブフレームのスケジューリング割り当てシグナリングに使用される伝送モード及び／又はコンテンツを確定する、
ように配置される請求項１に記載の電子装置。
【請求項１１】
前記スケジューリング割り当てシグナリングの伝送モードは、
前記第１の伝送時間間隔と同じ長さを持つ１つのスケジューリング割り当てシグナリングを伝送すること、
前記第１の伝送時間間隔と同じ長さを持つ１つのスケジューリング割り当てシグナリングと、前記サブフレームにおける伝送ブロックの短伝送時間間隔に対応する長さをぞれぞれ持つｎ個のスケジューリング割り当てシグナリングを伝送すること、又は、
前記第１の伝送時間間隔と同じ長さを持つｎ個のスケジューリング割り当てシグナリングを伝送すること、を含み、
ｎは、前記サブフレームにおける伝送ブロックの数である、
請求項１０に記載の電子装置。
【請求項１２】
前記処理回路はさらに、
前記スケジューリング割り当てシグナリングの伝送モードを前記ユーザー装置に指示するための指示情報を生成する
ように配置される請求項１０に記載の電子装置。
【請求項１３】
前記指示情報は、無線リソース制御シグナリング又は非アクセス層シグナリングに含まれる請求項１２に記載の電子装置。
【請求項１４】
前記スケジューリング割り当てシグナリングはＳＣＩ  ｆｏｒｍａｔによって実現され、
前記処理回路はさらに、前記ＳＣＩ  ｆｏｒｍａｔの予約ビットに伝送リソースに関する情報を追加するように配置される、
請求項１０に記載の電子装置。
【請求項１５】
前記処理回路は、
前記スケジューリング割り当てシグナリングの予約ビットに伝送リソースに関する情報を追加し、
システム情報ブロックにおいて、追加された情報の定義を前記ユーザー装置に通知するように制御する、
ように配置される請求項１４に記載の電子装置。
【請求項１６】
前記近距離サービス通信は、マシン型通信ＭＴＣ、デバイスツーデバイスのＤ２Ｄ通信、車両と他の装置とのＶ２Ｘ通信、物のインターネットＩＯＴ通信を含む請求項１に記載の電子装置。
【請求項１７】
基地局側、路側機側又はユーザー装置側で実現される請求項１に記載の電子装置。
【請求項１８】
前記ユーザー装置は車両を含む請求項１に記載の電子装置。
【請求項１９】
無線通信に用いられる電子装置であって、
ユーザー装置が第１の伝送時間間隔よりも小さい短伝送時間間隔で近距離サービス通信を行う場合に、前記第１の伝送時間間隔と同じ長さを持つスケジューリング割り当てシグナリングが少なくとも１つ含まれるスケジューリング割り当てシグナリングを確定し、
それぞれが短伝送時間間隔を有する少なくとも２つの伝送ブロックが同じサブフレームで伝送されるように制御し、前記サブフレームの長さが前記第１の伝送時間間隔と同じである、
ように配置される処理回路を含む電子装置。
【請求項２０】
無線通信方法であって、
ユーザー装置が第１の伝送時間間隔よりも小さい短伝送時間間隔で近距離サービス通信を行う場合に、それぞれが短伝送時間間隔を有する少なくとも２つの互いに独立した伝送ブロックが同じサブフレームで伝送されるように制御し、前記サブフレームの長さが前記第１の伝送時間間隔と同じであること、を含む方法。
【国際調査報告】
2020527876.tif 000030
2020527876.tif 000031
2020527876.tif 000032
2020527876.tif 000033